(57)【要約】【課題】複数のサブデバイスをイーサネット（登録商標）でそれぞれ接続する複数の移動局装置が基地局装置に接続している場合、適切なルーティング処理によって、効率的な通信を行う必要がある。【解決手段】基地局装置および移動局装置を少なくとも含む通信システムの基地局装置であって、コアネットインターフェース部と、ＰＤＣＰ−ＰＤＵを扱うＰＤＣＰ層と、無線リソース制御を行うＲＲＣ層とを制御する制御部を備え、前記ＰＤＣＰ−ＰＤＵは少なくともＩＰパケット、またはイーサネット（登録商標）フレームを使用でき、前記ＰＤＣＰ−ＰＤＵが前記イーサネット(登録商標)フレームを使用するように前記制御部が設定されている時、前記基地局装置が、前記移動局装置装置から、イーサネット（登録商標）のＭＡＣアドレスリストを含むＲＲＣメッセージを受信する。【選択図】図１
2020136766.tif 000002
【特許請求の範囲】
【請求項１】
基地局装置および移動局装置を少なくとも含む通信システムの基地局装置であって、
コアネットインターフェース部と、
ＰＤＣＰ−ＰＤＵを扱うＰＤＣＰ層と、
無線リソース制御を行うＲＲＣ層とを制御する制御部を備え、
前記ＰＤＣＰ−ＰＤＵは少なくともＩＰパケット、またはイーサネット（登録商標）データグラムを使用でき、
前記ＰＤＣＰ−ＰＤＵが前記イーサネット(登録商標)データグラムを使用するように前記制御部が設定されている時、
前記基地局装置が、前記移動局装置から、イーサネット（登録商標）データグラムで使用するＭＡＣアドレスリストを含むＲＲＣメッセージを受信する
ことを特徴とする基地局装置。
【請求項２】
前記ＭＡＣアドレスリストは、前記移動局装置に接続されている複数の端末装置が使用するイーサネット（登録商標）データグラムで使用するＭＡＣアドレスと、前記イーサネット（登録商標）データグラムで使用するＭＡＣアドレスに対するインデックスを含み、
前記基地局装置が前記コアネットインターフェース部、または前記移動局装置に接続される複数の前記端末装置のいずれかから受信した信号に含まれる前記ＰＤＣＰ−ＰＤＵがイーサネット（登録商標）データグラムであったとき、
前記制御部は、受信した前記イーサネット（登録商標）データグラムの送信先ＭＡＣアドレスが、前記ＭＡＣアドレスリストに含まれるか調べ、
前記送信先ＭＡＣアドレスが前記ＭＡＣアドレスリストに含まれる場合、前記移動局装置に対して前記イーサネット(登録商標)データグラムを含む前記ＰＤＣＰ−ＰＤＵを送信する
ことを特徴とする、請求項１記載の基地局装置。
【請求項３】
前記制御部はＭＡＣアドレスブラックリストを管理し、
前記ＭＡＣアドレスブラックリストは、１以上のイーサネット（登録商標）データグラムで使用するＭＡＣアドレスを要素として含み、
前記基地局装置が前記コアネットインターフェース部、または前記移動局装置に接続される複数の前記端末装置のいずれかから受信した信号に含まれる前記ＰＤＣＰ−ＰＤＵがイーサネット（登録商標）データグラムで、前記イーサネット（登録商標）データグラムに含まれるＭＡＣアドレスが前記ＭＡＣアドレスブラックリストに含まれるときに、前記イーサネット（登録商標）データグラムを送信しないことを特徴とする請求項２に記載の基地局装置。
【請求項４】
基地局装置および移動局装置を少なくとも含む通信システムの移動局装置であって、
ＰＤＣＰ−ＰＤＵを扱うＰＤＣＰ層と、
無線リソース制御を行うＲＲＣ層とを制御する制御部を備え、
前記ＰＤＣＰ−ＰＤＵは少なくともＩＰパケット、またはイーサネット（登録商標）データグラムを使用でき、
前記ＰＤＣＰ−ＰＤＵが前記イーサネット(登録商標)データグラムを使用するように前記制御部が設定されている時、
イーサネット（登録商標）データグラムが使用する送信先アドレスとして使用するＭＡＣアドレスを含むＭＡＣアドレスリストを含むＲＲＣメッセージを前記基地局装置に送信する
ことを特徴とする移動局装置。
【請求項５】
１以上のサブデバイスが接続され、
前記ＭＡＣアドレスリストに含まれるＭＡＣアドレスは前記１以上のサブデバイスのそれぞれに対して割り当てられている事を特徴とする請求項４に記載の移動局装置。
【請求項６】
接続されている前記１以上のサブデバイスが使用するＭＡＣアドレス、またはＭＡＣアドレスの数が変わったときに、前記ＭＡＣアドレスリストを含むＲＲＣメッセージを前記基地局装置に送信することを特徴とする請求項５に記載の移動局装置。
【請求項７】
前記基地局装置から、ハンドオーバ時のＭＡＣアドレス情報の交換機能を実行するか、しないかを表す情報受信し、
ハンドオーバ処理後に、前記ハンドオーバ時のＭＡＣアドレス情報の交換機能を実行するか、しないかを表す情報に基づいて前記ＭＡＣアドレスリストを含むＲＲＣメッセージを前記基地局装置に送信することを特徴とする請求項４に記載の移動局装置。
【請求項８】
基地局装置および移動局装置を少なくとも含む通信システムの移動局装置で実行する通信方法であって、
ＰＤＣＰ−ＰＤＵを受信し、
前記ＰＤＣＰ−ＰＤＵは少なくともＩＰパケット、またはイーサネット（登録商標）データグラムであり、
前記ＰＤＣＰ−ＰＤＵが前記イーサネット(登録商標)データグラムを使用するように前記移動局装置が設定されている時、
イーサネット（登録商標）データグラムが使用する送信先アドレスとして使用するＭＡＣアドレスを含むＭＡＣアドレスリストを含むＲＲＣメッセージを前記基地局装置に送信する
ことを特徴とする通信方法。
【発明の詳細な説明】
【技術分野】
【０００１】
本発明は、基地局装置、移動局装置およびその通信方法に関する。
【背景技術】
【０００２】
標準化団体３ＧＰＰ（３ｒｄ  Ｇｅｎｅｒａｔｉｏｎ  Ｐａｒｔｎｅｒｓｈｉｐ  Ｐｒｏｊｅｃｔ）において、第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（「ＥＵＴＲＡ」もしくは「ＬＴＥ」とも呼称される）と、更にその発展形である第４世代の移動通信方式であるＡｄｖａｎｃｅｄ  ＥＵＴＲＡ（「ＬＴＥ−Ａｄｖａｎｃｅｄ」もしくは「ＬＴＥ−Ａ」とも呼称される）の仕様規格化が行われ、それを利用した移動体通信の商用化が各国で行われている（非特許文献１）。また近年、３ＧＰＰでは第５世代移動通信方式であるＮＲ（Ｎｅｗ  Ｒａｄｉｏ）の技術検討および仕様規格化が進んでいる（非特許文献２）。第５世代移動通信方式においては、ｅＭＢＢ（ｅｎｈａｎｃｅｄ  Ｍｏｂｉｌｅ  ＢｒｏａｄＢａｎｄ；高速大容量）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｉｏｎ；超高信頼低遅延）、およびｍＭＴＣ（ｍａｓｓｉｖｅ  Ｍａｃｈｉｎｅ  Ｔｙｐｅ  Ｃｏｍｍｕｎｉｃａｉｏｎ；多数端末接続）などの技術を採用し、ＩｏＴ（Ｉｎｔｅｒｎｅｔ  ｏｆ  Ｔｈｉｎｇｓ）の実現が図られている。また、産業用ＩｏＴ（ＩＩｏＴ；Ｉｎｄｕｓｔｏｒｙ  ＩｏＴ）に第５世代移動通信方式の無線ネットワークを適用する検討も行われており、ＩＰ（Ｉｎｔｅｒｎｅｔ  Ｐｒｏｔｏｃｏｌ）系データだけでなくイーサネット（登録商標）など非ＩＰ系プロトコル上のデータを直接無線ネットワークで送受信する検討がなされている（非特許文献３）。
【先行技術文献】
【非特許文献】
【０００３】
【非特許文献１】"3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 15)"  3GPP TS 36.300 V15.3.0 (2018-09)
【非特許文献２】"3rd Generation Partnership Project; Technical Specification Group Radio Access Network; NR; NR and NG-RAN Overall Description; Stage 2 (Release 15)"  3GPP TS 38.300 V15.3.0 (2018-09)
【非特許文献３】"3GPP TSG-RAN meeting #81; RP-182090; Title: Study on NR Industrial Internet of Things (IoT)"
【発明の概要】
【発明が解決しようとする課題】
【０００４】
複数のサブデバイスをイーサネット（登録商標）でそれぞれ接続する複数の移動局装置が基地局装置に接続している場合、適切なルーティング処理によって、効率的な通信を行う必要がある。
【課題を解決するための手段】
【０００５】
（１）この発明は上述した課題を解決するためになされたもので、本発明の一態様による基地局装置は、基地局装置および移動局装置を少なくとも含む通信システムの基地局装置であって、コアネットインターフェース部と、ＰＤＣＰ−ＰＤＵを扱うＰＤＣＰ層と、無線リソース制御を行うＲＲＣ層とを制御する制御部を備え、前記ＰＤＣＰ−ＰＤＵは少なくともＩＰパケット、またはイーサネット（登録商標）データグラムを使用でき、前記
ＰＤＣＰ−ＰＤＵが前記イーサネット(登録商標)データグラムを使用するように前記制御部が設定されている時、前記基地局装置が、前記移動局装置から、イーサネット（登録商標）データグラムで使用するＭＡＣアドレスリストを含むＲＲＣメッセージを受信することを特徴とする。
【０００６】
（２）また、本発明の一態様による基地局装置は、前記の基地局装置であって、前記ＭＡＣアドレスリストは、前記移動局装置に接続されている複数の端末装置が使用するイーサネット（登録商標）データグラムで使用するＭＡＣアドレスと、前記イーサネット（登録商標）データグラムで使用するＭＡＣアドレスに対するインデックスを含み、前記基地局装置が前記コアネットインターフェース部、または前記移動局装置に接続される複数の前記端末装置のいずれかから受信した信号に含まれる前記ＰＤＣＰ−ＰＤＵがイーサネット（登録商標）データグラムであったとき、前記制御部は、受信した前記イーサネット（登録商標）データグラムの送信先ＭＡＣアドレスが、前記ＭＡＣアドレスリストに含まれるか調べ、前記送信先ＭＡＣアドレスが前記ＭＡＣアドレスリストに含まれる場合、前記移動局装置に対して前記イーサネット(登録商標)データグラムを含む前記ＰＤＣＰ−ＰＤＵを送信することを特徴とする。
【０００７】
（３）また、本発明の一態様による基地局装置は、前記の基地局装置であって、前記制御部はＭＡＣアドレスブラックリストを管理し、前記ＭＡＣアドレスブラックリストは、１以上のイーサネット（登録商標）データグラムで使用するＭＡＣアドレスを要素として含み、前記基地局装置が前記コアネットインターフェース部、または前記移動局装置に接続される複数の前記端末装置のいずれかから受信した信号に含まれる前記ＰＤＣＰ−ＰＤＵがイーサネット（登録商標）データグラムで、前記イーサネット（登録商標）データグラムに含まれるＭＡＣアドレスが前記ＭＡＣアドレスブラックリストに含まれるときに、前記イーサネット（登録商標）データグラムを送信しないことを特徴とする。
（４）また、本発明の一態様による移動局装置は、基地局装置および移動局装置を少なくとも含む通信システムの移動局装置であって、ＰＤＣＰ−ＰＤＵを扱うＰＤＣＰ層と、無線リソース制御を行うＲＲＣ層とを制御する制御部を備え、前記ＰＤＣＰ−ＰＤＵは少なくともＩＰパケット、またはイーサネット（登録商標）データグラムを使用でき、前記ＰＤＣＰ−ＰＤＵが前記イーサネット(登録商標)データグラムを使用するように前記制御部が設定されている時、イーサネット（登録商標）データグラムが使用する送信先アドレスとして使用するＭＡＣアドレスを含むＭＡＣアドレスリストを含むＲＲＣメッセージを前記基地局装置に送信することを特徴とする。
【０００８】
（５）また、本発明の一態様による移動局装置は、前記移動局装置であって、１以上のサブデバイスが接続され、前記ＭＡＣアドレスリストに含まれるＭＡＣアドレスは前記１以上のサブデバイスのそれぞれに対して割り当てられている事を特徴とする。
【０００９】
（６）また、本発明の一態様による移動局装置は、前記移動局装置であって、接続されている前記１以上のサブデバイスが使用するＭＡＣアドレス、またはＭＡＣアドレスの数が変わったときに、前記ＭＡＣアドレスリストを含むＲＲＣメッセージを前記基地局装置に送信することを特徴とする。
【００１０】
（７）また、本発明の一態様による移動局装置は、前記移動局装置であって、前記基地局装置から、ハンドオーバ時のＭＡＣアドレス情報の交換機能を実行するか、しないかを表す情報受信し、ハンドオーバ処理後に、前記ハンドオーバ時のＭＡＣアドレス情報の交換機能を実行するか、しないかを表す情報に基づいて前記ＭＡＣアドレスリストを含むＲＲＣメッセージを前記基地局装置に送信することを特徴とする。
【００１１】
（８）また、本発明の一態様による通信方法は、基地局装置および移動局装置を少なく
とも含む通信システムの移動局装置で実行する通信方法であって、ＰＤＣＰ−ＰＤＵを受信し、前記ＰＤＣＰ−ＰＤＵは少なくともＩＰパケット、またはイーサネット（登録商標）データグラムであり、前記ＰＤＣＰ−ＰＤＵが前記イーサネット(登録商標)データグラムを使用するように前記移動局装置が設定されている時、イーサネット（登録商標）データグラムが使用する送信先アドレスとして使用するＭＡＣアドレスを含むＭＡＣアドレスリストを含むＲＲＣメッセージを前記基地局装置に送信することを特徴とする。
【発明の効果】
【００１２】
この発明によれば、数のサブデバイスをイーサネット（登録商標）でそれぞれ接続する複数の移動局装置が基地局装置に接続している場合、適切なルーティング処理によって、効率的な通信をすることができる。
【図面の簡単な説明】
【００１３】
【図１】本発明の一態様における通信システムの概要の一例を示す図である。
【図２】本発明の一態様である基地局装置の構成の一例を示す図である。
【図３】本発明の一態様である移動局装置の構成の一例を示す図である。
【図４】本発明の一態様である基地局装置のＭＡＣアドレスリストの構成の一例を示す図である。
【図５】本発明の一態様である基地局装置のＭＡＣアドレスリストの更新手順の流れの位置例を示す図である。
【図６】本発明の一態様である基地局装置と移動局装置間のデータ送受信の流れの一例を示す図である。
【発明を実施するための形態】
【００１４】
（第１の実施形態）
以下、図面を参照して、本発明の第１の実施形態について説明する。
【００１５】
図１は本実施形態における通信システムの概要の一例を図示している。１００１は基地局装置（ｇＮＢ）、１１０１から１１０３は移動局装置（ＵＥ）、１２０１から１２１２はサブデバイスである。基地局装置と各移動局装置はそれぞれ無線リンクで接続される。また、各移動局装置には、それぞれ１つもしくは複数個のサブデバイスがイーサネット（登録商標）などで接続されている。各サブデバイスにはそれぞれ固有のＭＡＣ（Ｍｅｄｉａ  Ａｃｃｅｓｓ  Ｃｏｎｔｒｏｌ）アドレスが割り当てられていて、通信先のＭＡＣアドレスを指定することにより、他のサブデバイスと通信を行う。このサブデバイスに対して割り当てられたＭＡＣアドレスを使用する通信データ単位をイーサネット（登録商標）データグラムとする。このイーサネット（登録商標）データグラムはＩＥＥＥ８０２．３で規定されるフレームを構成するブリアンブルやフレーム開始情報、フレームチェック情報などのすべての情報を含む必要はなく、少なくとも送信先のＭＡＣアドレスを示す情報と、データ本体が含まれていればよい。しかし、他の移動局装置に接続されているサブデバイスと通信する場合、基地局装置を経由して通信を行うことになるが、基地局装置はどの移動局装置に当該ＭＡＣアドレスを持つサブデバイスが接続されているかわからないため、基地局装置に接続しているすべての移動局装置に対して通信を行う必要があり、非効率であるという課題がある。そこで、本発明によりこの課題を解決するための一態様を説明する。
【００１６】
図２は、本発明の一態様である基地局装置の構成の一例を図示している。図２において、２０１は基地局装置全体を制御する制御部である。２０２はコアネットワークＩ／Ｆであり、基地局装置が接続しているコアネットワークと制御情報やユーザデータの送受信を行う。２０３はレイヤ３であり、制御プレーンを管理するＲＲＣ（Ｒａｄｉｏ  Ｒｅｓｏｕｒｃｅ  Ｃｏｎｔｒｏｌ）やユーザプレーンを管理するＳＤＡＰ（Ｓｅｒｖｉｃｅ  Ｄａｔａ  Ａｄａｐｔａｔｉｏｎ  Ｐｒｏｔｏｃｏｌ）を包含する。２０４はレイヤ２であり、データヘッダ圧縮や暗号化などを行うＰＤＣＰ（Ｐａｃｋｅｔ  Ｄａｔａ  Ｃｏｎｖｅｒｇｅｎｃｅ  Ｐｒｏｔｏｃｏｌ）、ＡＲＱ再送制御や順序整列などを行うＲＬＣ（Ｒａｄｉｏ  Ｌｉｎｋ  Ｃｏｎｔｒｏｌ）、無線リソース割り当てやデータマッピング、およびハイブリッドＡＲＱの制御などを行うＭＡＣが含まれる。なお、レイヤ２・２０４のＭＡＣは、前述のサブデバイスに割り当てられるＭＡＣアドレスとは関係しないことに注意する。２０５はＰＨＹ（レイヤ１）部であり、誤り訂正符号化や変復調、アンテナ多重化処理など物理リソースを用いた送受信処理を行う。２０６はアンテナ部であり、移動局装置と無線信号の送受信を行う。２０７はＭＡＣアドレスリストであり、基地局装置に接続中の移動局装置それぞれに接続しているサブデバイスのＭＡＣアドレスを管理する。
【００１７】
図３は、本発明の一態様である移動局装置の構成の一例を図示している。図３において、３０１は移動局装置全体を制御する制御部である。３０２はＮＡＳ（Ｎｏｎ  Ａｃｃｅｓｓ  Ｓｔｒａｔｕｍ）であり、移動局装置および基地局装置のＡＳ（Ａｃｃｅｓｓ  Ｓｔｒａｔｕｍ）を使用して、コアネットワーク側のＮＡＳと通信を行う。３０３はレイヤ３であり、制御プレーンを管理するＲＲＣ（Ｒａｄｉｏ  Ｒｅｓｏｕｒｃｅ  Ｃｏｎｔｒｏｌ）やユーザプレーンを管理するＳＤＡＰ（Ｓｅｒｖｉｃｅ  Ｄａｔａ  Ａｄａｐｔａｔｉｏｎ  Ｐｒｏｔｏｃｏｌ）を包含する。３０４はレイヤ２であり、データヘッダ圧縮や暗号化などを行うＰＤＣＰ（Ｐａｃｋｅｔ  Ｄａｔａ  Ｃｏｎｖｅｒｇｅｎｃｅ  Ｐｒｏｔｏｃｏｌ）、ＡＲＱ再送制御や順序整列などを行うＲＬＣ（Ｒａｄｉｏ  Ｌｉｎｋ  Ｃｏｎｔｒｏｌ）、無線リソース割り当てやデータマッピング、およびハイブリッドＡＲＱの制御などを行うＭＡＣが含まれる。なお、レイヤ２・３０４のＭＡＣは、前述のサブデバイスに割り当てられるＭＡＣアドレスとは関係しないことに注意する。３０５はＰＨＹ（レイヤ１）部であり、誤り訂正符号化や変復調、アンテナ多重化処理など物理リソースを用いた送受信処理を行う。３０６はアンテナ部であり、移動局装置と無線信号の送受信を行う。３０７はサブデバイス管理部であり、移動局装置にイーサネット（登録商標）などで接続されるサブデバイスの接続や切断、ルーティング、およびＭＡＣアドレスの管理を行う。
【００１８】
図４は、本実施形態における基地局装置のＭＡＣアドレスリスト２０７の構成を図示している。図４のように、各サブデバイスのＭＡＣアドレスはＵＥ毎にまとめて管理されている。ここで、ＵＥ  ＩＤは基地局装置に接続中のＵＥを特定するものであり、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｔｙ）やＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）などを利用してもよい。また、インデックスは登録されているサブデバイスＭＡＣアドレス毎に割り当てられるが、これを明示的に付けずに、例えば登録順の順番を暗黙的にインデックスとしてもよい。
【００１９】
図５は、本実施形態におけるＭＡＣアドレスリスト２０７の更新手順の流れを図示している。まず、基地局装置（ｇＮＢ）と移動局装置１（ＵＥ１）はまだ無線リンクが確立していないが、移動局装置にはサブデバイス１Ａ、１Ｂ、１Ｃが接続されているものとする。次に時間ｔ０において、基地局装置と移動局装置が接続を開始し、無線リンクが確立する。次に、移動局装置は接続されているサブデバイス１Ａ、１Ｂ、１Ｃについてのサブデバイス登録メッセージを各サブデバイスのＭＡＣアドレスとともに基地局装置に送信する（時間ｔ１）。基地局装置は移動局装置１からのサブデバイス登録メッセージを受信すると、そのメッセージに含まれるサブデバイス１Ａ、１Ｂ、１ＣのＭＡＣアドレスをＭＡＣアドレスリスト２０７に格納し、受領（成功）メッセージを移動局装置１に送信する。なお、受領メッセージに、現在基地局装置が保持している移動局装置１のサブデバイスＭＡＣアドレスリストレコードの内容を含めてもよい。次に、時間ｔ２において、移動局装置１にサブデバイス１Ｄの接続が開始されると、移動局装置１はサブデバイス１ＤのＭＡＣアドレスとともに、サブデバイス追加メッセージを基地局装置に送信する。基地局装置は移動局装置１からのサブデバイス登録メッセージを受信すると、そのメッセージに含まれるサブデバイス１ＤのＭＡＣアドレスをＭＡＣアドレスリスト２０７に格納し、受領（成功）メッセージを移動局装置１に送信する。なお、受領メッセージに、現在基地局装置が保持している移動局装置１のサブデバイスＭＡＣアドレスリストの内容を含めてもよいし、サブデバイス１Ｄのインデックスのみ、あるいはインデックスとＭＡＣアドレスを含めてもよい。次に、時間ｔ３において、サブデバイス１Ａの移動局装置１との接続が終了すると、移動局装置１はサブデバイス１Ａに関するサブデバイス削除メッセージを基地局装置に送信する。このとき、移動局装置１は、サブデバイス削除メッセージに削除するサブデバイス１ＡのＭＡＣアドレスを含めてもよいし、ＭＡＣアドレスリスト２０７のサブデバイス１Ａのインデックスを含めてもよい。基地局装置は移動局装置１からのサブデバイス削除メッセージを受信すると、そのメッセージに含まれるサブデバイス１ＡのＭＡＣアドレスもしくはインデックスで指定されるＭＡＣアドレスリスト２０７の登録レコードを削除し、受領（成功）メッセージを移動局装置１に送信する。なお、受領メッセージに、現在基地局装置が保持している移動局装置１のサブデバイスＭＡＣアドレスリストレコードの内容を含めてもよいし、削除が完了したサブデバイス１ＡのＭＡＣアドレスおよび／または削除前にサブデバイス１Ａに割り当てられていたインデックスを含めてもよい。その後、時間ｔ４にて基地局装置と移動局装置１の通信が終了し、無線リンクが切断されると、基地局装置は、ＭＡＣアドレスリスト２０７から、移動局装置１のＭＡＣアドレスリストレコードを削除する。なお、基地局装置は移動局装置１からのサブデバイス登録、追加、削除の各メッセージに対する受領メッセージを、移動局装置１に送信しなくてもよい。また、サブデバイス登録、追加、削除の各メッセージおよびそれらに対する受領メッセージは、ＲＲＣなどのメッセージで行われても良いし、ＮＡＳ（Ｎｏｎ  Ａｃｃｅｓｓ  Ｓｔｒａｔｕｍ）などさらに上位のメッセージで行われてもよい。
【００２０】
次に、本発明の一態様である基地局装置（ｇＮＢ）と移動局装置（ＵＥ１、ＵＥ２、ＵＥ３）のデータ送受信の流れを、図６を用いて説明する。まず、ｇＮＢと各ＵＥ、および各サブデバイスは図１のように接続されていて、図５で示される手順を用いて各ＵＥの各サブデバイスのＭＡＣアドレスが、図４のようにｇＮＢのＭＡＣアドレスリスト（ＭＡＣ−ＡＬ）２０７に登録されているものとする。時間ｔ１において、サブデバイス１Ａがサブデバイス１ＢのＭＡＣアドレスを宛先にしてデータを送信する。ＵＥ１はデータの宛先のＭＡＣアドレスが、ＵＥ１に接続されているサブデバイス１Ｂのものであることを検出し、サブデバイス１Ｂにデータを送る。ＵＥ１内でデータ送受信は完結しているため、ｇＮＢへのデータ送信は行わない。次に、時間ｔ２において、サブデバイス１Ａがサブデバイス２ＦのＭＡＣアドレスを宛先にしてデータ（イーサネット（登録商標）データグラム）を送信する。このとき、ＰＤＣＰ−ＰＤＵとしてイーサネット（登録商標）データグラムを使用してよい。ＵＥ１は宛先のＭＡＣアドレスが、ＵＥ１に接続されているサブデバイスのものであることを検出できず、データをｇＮＢに転送する。ｇＮＢはＭＡＣアドレスリスト２０７を検索し、データの宛先のＭＡＣアドレスがＵＥ２のＭＡＣアドレスレコードにあることを検出して、ＵＥ２にデータを転送する。ＵＥ２は、データの宛先のＭＡＣアドレスがＵＥ２に接続されているサブデバイス２Ｆのものであることを検出し、データをサブデバイス２Ｆに転送する。次に、時間ｔ３において、サブデバイス２Ｇがサブデバイス３ＫのＭＡＣアドレスを宛先にしてデータを送信する。ＵＥ２はデータの宛先のＭＡＣアドレスが、ＵＥ２に接続されているサブデバイスのものであることを検出できず、データをｇＮＢに転送する。ｇＮＢはＭＡＣアドレスリスト２０７を検索し、データの宛先のＭＡＣアドレスがＵＥ３のＭＡＣアドレスレコードにあることを検出して、ＵＥ３にデータを転送する。ＵＥ３は、データの宛先のＭＡＣアドレスがＵＥ３に接続されているサブデバイス３Ｋのものであることを検出し、データをサブデバイス３Ｋに転送する。次に、時間ｔ４において、サブデバイス１Ｃが宛先としてブロードキャストアドレスにしてデータを送信する。ＵＥ１はデータの宛先のＭＡＣアドレスが、ブロードキャストアドレスであることを検出し、ＵＥ１に接続されているサブデバイス１Ｃ以外の全サブデバイスにデータを転送し、さらにデータをｇＮＢに転送する。ｇＮＢはデータの宛先のＭＡＣアドレスがブロードキャストアドレスであることを検出して、ＵＥ１お以外のＵＥ２およびＵＥ３にデータを転送する。また、コアネットワーク（ＣＮ）に転送し、他のｇＮＢに接続されているＵＥおよびサブデバイスへの送信を行ってもよい。ＵＥ２およびＵＥ３は、データの宛先のＭＡＣアドレスがブロードキャストアドレスであることを検出し、データをそれぞれに接続されているすべてのサブデバイスに転送する。次に、時間ｔ５において、サブデバイス１ＣがｇＮＢのＭＡＣアドレスリストに登録されていないＭＡＣアドレスＹＹを宛先にしてデータを送信する。ＵＥ１は宛先のＭＡＣアドレスが、ＵＥ１に接続されているサブデバイスのものであることを検出できず、データをｇＮＢに転送する。ｇＮＢはＭＡＣアドレスリスト２０７を検索するが、データの宛先のＭＡＣアドレスがどのＵＥのＭＡＣアドレスレコードからも検出できず、コアネットワークに転送する。なお、コアネットワークに転送せずデータを破棄するようにしてもよい。
【００２１】
基地局装置は、データ（イーサネット（登録商標）データグラム）をＵＥやコアネットワークに転送せず、破棄するデータをブラックリストによって管理しても良い。一例としてネットワーク上のループを構成する経路上の機器の一つ以上のＭＡＣアドレスをブラックリスト（ＭＡＣアドレスブラックリスト）に登録し、基地局がそのブラックリストを参照し、該当するデータを破棄することでネットワーク上のループでデータが循環することを防ぐことが可能となる。このブラックリストはコアネットワーク側の機器から管理しても良く、この場合基地局装置はＮＡＳメッセージを利用してブラックリストを更新しても良い。また、基地局装置はスパニングツリープロトコルなどの技術を用い、基地局装置が障害となりうる機器のＭＡＣアドレスを検知してブラックリストを更新してもよい。
【００２２】
なお、移動局装置が別の基地局装置にハンドオーバする場合、ハンドオーバ元の基地局装置は、当該移動局装置のサブデバイスＭＡＣアドレスリストのレコードをハンドオーバ先の基地局装置に送信し、自身のＭＡＣアドレスリストから当該移動局装置のサブデバイスＭＡＣアドレスリストのレコードを削除する。ハンドオーバ先の基地局装置は、自身のＭＡＣアドレスリストに、ハンドオーバ元の基地局装置から受信した当該移動局装置のＭＡＣアドレスリストのレコードを登録する。これにより、ハンドオーバした後も、当該移動局装置に接続されているサブデバイスは、ＭＡＣアドレスを基地局装置に再登録することなしに、通信を継続することが可能となる。
【００２３】
基地局装置は、ハンドオーバ時に基地局装置間で当該移動局装置のサブデバイスＭＡＣアドレスの情報を交換してもよく、またこのハンドオーバ時のサブデバイスのＭＡＣアドレスの情報の交換機能を備えなくてもよい。基地局装置は、端末装置に対してハンドオーバ時のＭＡＣアドレス情報の交換機能を実行するか、しないかを表す情報を端末装置に対して通知しても良い。この通知は、基地局装置からブロードキャストするシステム情報に含めても良く、端末ごとに通知される制御情報に含めても良く、またハンドオーバ時の制御情報に含めてもよい。端末装置は、基地局装置がハンドオーバ時のＭＡＣアドレス情報の交換機能を実行するか、しないかを表す情報に基づいて、ハンドオーバ処理が終了したのちに、ハンドオーバ先の基地局装置に対してサブデバイスのＭＡＣアドレスを登録するための情報を送信してよい。ハンドオーバ元の基地局装置は、ハンドオーバ先の基地局装置がハンドオーバ時のＭＡＣアドレス情報の交換機能を実行する、しないにかかわらず、ハンドオーバ処理が成功した場合は、該当の端末装置に紐づいているサブデバイスのＭＡＣアドレスを、ＭＡＣアドレスリストから消去してよい。
【００２４】
以上説明したとおり、本発明の一態様における基地局装置および移動局装置によれば、複数のサブデバイスをイーサネット（登録商標）でそれぞれ接続した複数の移動局装置が基地局装置に接続されているときに、サブデバイスに対して割り当てられたＭＡＣアドレ
スを使用するデータ通信（イーサネット（登録商標）データグラムを使用するデータ通信）を行ってもサブデバイス間、またはサブデバイスとコアネットワークを経由する通信を実行することが可能となる。
【００２５】
なお、以上で説明した基地局装置および移動局装置の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００２６】
また、「コンピュータシステム」は、ＷＷＷシステムを利用している場合であれば、ホームページ提供環境（あるいは表示環境）も含むものとする。
【００２７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００２８】
また、基地局装置および移動局装置の全部または一部の機能を集積回路に集約して実現してもよい。各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００２９】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００３０】
本発明は、有線および無線での通信システムや通信装置に用いて好適である。
【符号の説明】
【００３１】
１００１…基地局装置
１１０１〜１１０３…移動局装置
１２０１〜１２１２…サブデバイス
２０１…制御部
２０２…コアネットワークＩ／Ｆ
２０３…レイヤ３
２０４…レイヤ２
２０５…ＰＨＹ（レイヤ１）
２０６…アンテナ部
２０７…ＭＡＣアドレスリスト
３０１…制御部
３０２…ＮＡＳ
３０３…レイヤ３
３０４…レイヤ２
３０５…ＰＨＹ（レイヤ１）
３０６…アンテナ部
３０７…サブデバイス管理部
【図１】
2020136766.tif 000003
【図２】
2020136766.tif 000004
【図３】
2020136766.tif 000005
【図４】
2020136766.tif 000006
【図５】
2020136766.tif 000007
【図６】
2020136766.tif 000008